(57)【要約】【課題】クレジットカード処理において店舗端末との間で決済を行うだけでなく、さらなる情報を提供することができる非接触カード機能用コンテンツ配信システム及び非接触カード機能用コンテンツ配信方法を提供すること。【解決手段】本発明の非接触カード機能用コンテンツ配信システムにおいては、クレジットセンター２の配信設定部２３１において、トルカデータの配信先である店舗端末１１を設定し、移動体端末７と店舗端末１１との間でのクレジットカード処理時にトルカデータを移動体端末７に配信する。このとき、トルカデータには、決済金額別、商品別、決済時間帯別、加盟店住所別を含む各種配信バリエーションの中から当該非接触カード機能用コンテンツと関連のある配信バリエーションを設定して付加する。【選択図】図１
2010205271.tif 000002
【特許請求の範囲】
【請求項１】
リーダ／ライタを有し、非接触カード機能を有する移動体端末との間で非接触通信してクレジットカード処理を行う店舗端末と、前記店舗端末に通信網経由で非接触カード機能用コンテンツを配信するコンテンツ配信部と、を備えた非接触カード機能用コンテンツ配信システムであって、
前記コンテンツ配信部は、
前記店舗端末へ配信する非接触カード機能用コンテンツ毎に、決済金額別、商品別、決済時間帯別、加盟店住所別を少なくともいずれか１つ含む各種配信バリエーションの中から当該非接触カード機能用コンテンツと関連のある配信バリエーションを設定し、前記非接触カード機能用コンテンツと当該非接触カード機能用コンテンツに設定された配信バリエーションと、が組み合わされた非接触カード機能用コンテンツデータを、前記店舗端末へ配信し、
前記店舗端末は、
前記コンテンツ配信部から配信された前記非接触カード機能用コンテンツと前記配信バリエーションとが組み合わされた非接触カード機能用コンテンツデータを格納部に格納し、前記店舗端末のリーダ／ライタに前記移動体端末をかざして前記非接触通信により当該店舗端末と前記移動体端末との間でクレジットカード処理が行われた際に、前記格納部に格納されている各種非接触カード機能用コンテンツデータの中から当該クレジットカード処理が行われた際の状況に対応した配信バリエーションを抽出し、抽出した配信バリエーションの設定されている非接触カード機能用コンテンツを前記格納部から抽出し、抽出した非接触カード機能用コンテンツを前記非接触通信により前記移動体端末に配信する、
ことを特徴とする非接触カード機能用コンテンツ配信システム。
【請求項２】
リーダ／ライタを有し、非接触カード機能を有する移動体端末との間で非接触通信してクレジットカード処理を行う店舗端末と、前記店舗端末に通信網経由で非接触カード機能用コンテンツを配信するコンテンツ配信部と、を備えたシステムにおける非接触カード機能用コンテンツ配信方法であって、
前記コンテンツ配信部が、前記店舗端末へ配信する非接触カード機能用コンテンツ毎に、決済金額別、商品別、決済時間帯別、加盟店住所別を少なくともいずれか１つ含む各種配信バリエーションの中から当該非接触カード機能用コンテンツと関連のある配信バリエーションを設定し、前記非接触カード機能用コンテンツと当該非接触カード機能用コンテンツに設定された配信バリエーションと、が組み合わされた非接触カード機能用コンテンツデータを、前記店舗端末へ配信する工程と、
前記店舗端末が前記コンテンツ配信部から配信された前記非接触カード機能用コンテンツと前記配信バリエーションとが組み合わされた非接触カード機能用コンテンツデータを格納部に格納する工程と、
前記店舗端末が、前記リーダ／ライタにかざした前記移動体端末との前記非接触通信により当該店舗端末と前記移動体端末との間でクレジットカード処理が行われた際に、前記格納部に格納されている各種非接触カード機能用コンテンツデータの中から当該クレジットカード処理が行われた際の状況に対応した配信バリエーションを抽出し、抽出した配信バリエーションの設定された非接触カード機能用コンテンツを前記格納部から抽出し、抽出した非接触カード機能用コンテンツを前記非接触通信により前記移動体端末に配信する工程と、
を具備することを特徴とする非接触カード機能用コンテンツ配信方法。
【発明の詳細な説明】
【技術分野】
【０００１】
本発明は、非接触カード機能用コンテンツ配信システム及び非接触カード機能用コンテンツ配信方法に関する。
【背景技術】
【０００２】
移動体端末装置の高機能化に伴い、移動体端末装置を利用して様々なデータを取得する場面が増加している。一般的には、パケット網などを介してインターネット経由でコンテンツをダウンロードすることが行われる。また、データの種類によってはメールに添付して送受信することが可能である。さらに、最近では、赤外線通信や二次元バーコードを利用したデータの送受信も行われている。
【０００３】
近年、ＩＣカード機能を搭載した移動体端末装置が広く普及している。このＩＣカード機能を利用したデータの受け渡しは、移動体端末装置側の電源が入っていなくても外部Ｒ／Ｗにかざすだけで実行ができるというように、ユーザにとっては非常に操作が簡便である（特許文献１）。
【先行技術文献】
【特許文献】
【０００４】
【特許文献１】特開２００３−２９６２３３号公報
【発明の概要】
【発明が解決しようとする課題】
【０００５】
このようなＩＣカード機能でデータの受け渡しが実現できたことにより、このＩＣカード機能を利用してクレジットカード処理を行うサービスも行われている。しかしながら、従来のクレジットカード処理については、店舗端末との間で決済を行うだけであり、さらなる情報を提供することについて想定されておらず、そのような仕組みも構築されていないのが現状である。
【０００６】
本発明はかかる点に鑑みてなされたものであり、クレジットカード処理において店舗端末との間で決済を行うだけでなく、さらなる情報を提供することができる非接触カード機能用コンテンツ配信システム及び非接触カード機能用コンテンツ配信方法を提供することを目的とする。
【課題を解決するための手段】
【０００７】
本発明の非接触カード機能用コンテンツ配信システムは、リーダ／ライタを有し、非接触カード機能を有する移動体端末との間で非接触通信してクレジットカード処理を行う店舗端末と、前記店舗端末に通信網経由で非接触カード機能用コンテンツを配信するコンテンツ配信部と、を備えた非接触カード機能用コンテンツ配信システムであって、前記コンテンツ配信部は、前記店舗端末へ配信する非接触カード機能用コンテンツ毎に、決済金額別、商品別、決済時間帯別、加盟店住所別を少なくともいずれか１つ含む各種配信バリエーションの中から当該非接触カード機能用コンテンツと関連のある配信バリエーションを設定し、前記非接触カード機能用コンテンツと当該非接触カード機能用コンテンツに設定された配信バリエーションと、が組み合わされた非接触カード機能用コンテンツデータを、前記店舗端末へ配信し、前記店舗端末は、前記コンテンツ配信部から配信された前記非接触カード機能用コンテンツと前記配信バリエーションとが組み合わされた非接触カード機能用コンテンツデータを格納部に格納し、前記店舗端末のリーダ／ライタに前記移動体端末をかざして前記非接触通信により当該店舗端末と前記移動体端末との間でクレジットカード処理が行われた際に、前記格納部に格納されている各種非接触カード機能用コンテンツデータの中から当該クレジットカード処理が行われた際の状況に対応した配信バリエーションを抽出し、抽出した配信バリエーションの設定されている非接触カード機能用コンテンツを前記格納部から抽出し、抽出した非接触カード機能用コンテンツを前記非接触通信により前記移動体端末に配信することを特徴とする。
【０００８】
本発明の非接触カード機能用コンテンツ配信方法は、リーダ／ライタを有し、非接触カード機能を有する移動体端末との間で非接触通信してクレジットカード処理を行う店舗端末と、前記店舗端末に通信網経由で非接触カード機能用コンテンツを配信するコンテンツ配信部と、を備えたシステムにおける非接触カード機能用コンテンツ配信方法であって、前記コンテンツ配信部が、前記店舗端末へ配信する非接触カード機能用コンテンツ毎に、決済金額別、商品別、決済時間帯別、加盟店住所別を少なくともいずれか１つ含む各種配信バリエーションの中から当該非接触カード機能用コンテンツと関連のある配信バリエーションを設定し、前記非接触カード機能用コンテンツと当該非接触カード機能用コンテンツに設定された配信バリエーションと、が組み合わされた非接触カード機能用コンテンツデータを、前記店舗端末へ配信する工程と、前記店舗端末が前記コンテンツ配信部から配信された前記非接触カード機能用コンテンツと前記配信バリエーションとが組み合わされた非接触カード機能用コンテンツデータを格納部に格納する工程と、前記店舗端末が、前記リーダ／ライタにかざした前記移動体端末との前記非接触通信により当該店舗端末と前記移動体端末との間でクレジットカード処理が行われた際に、前記格納部に格納されている各種非接触カード機能用コンテンツデータの中から当該クレジットカード処理が行われた際の状況に対応した配信バリエーションを抽出し、抽出した配信バリエーションの設定された非接触カード機能用コンテンツを前記格納部から抽出し、抽出した非接触カード機能用コンテンツを前記非接触通信により前記移動体端末に配信する工程と、を具備することを特徴とする。
【０００９】
上記非接触カード機能用コンテンツ配信システムは、店舗におけるクレジットカード処理を行う店舗端末と、前記クレジットカード決済の処理のオーソリ処理を仲介する決済サーバ、並びに非接触カード機能用コンテンツのコンテンツデータの配信先である店舗端末を設定するコンテンツ配信手段を備えたクレジット管理センターと、を具備し、前記店舗端末は、前記クレジットカード処理時に前記コンテンツデータを配信することが望ましい。
【００１０】
この構成によれば、移動体端末装置のクレジットカード処理ができる店舗端末で非接触カード機能用コンテンツを取得することが可能となり、クレジットカード処理にさらなる付加価値を付けることが可能となる。その結果、非接触カード機能用コンテンツの提供元のさらなる宣伝効果を発揮させることができる。
【００１１】
上記非接触カード機能用コンテンツ配信システムにおいては、前記コンテンツ配信手段は、配信バリエーションに対応するパラメータを設定するパラメータ設定手段を有し、前記店舗端末は、前記パラメータにしたがって前記クレジットカード処理時に前記コンテンツデータを配信することが好ましい。この構成によれば、クレジットカード処理が行われた際の状況に応じた非接触カード機能用コンテンツを移動体端末装置に配信することができるので、ターゲットを絞った非接触カード機能用コンテンツの配信を行うことが可能となる。
【００１２】
上記非接触カード機能用コンテンツ配信システムにおいては、前記クレジットカード処理は、前記店舗端末と移動体端末との間で行われることが好ましい。
【００１３】
非接触カード機能用コンテンツ配信方法において、クレジット管理センターにおいて、非接触カード機能用コンテンツのコンテンツデータの配信先である店舗端末を設定する工程と、移動体端末と店舗端末との間でのクレジットカード処理時に前記コンテンツデータを前記移動体端末に配信する工程と、を具備することが望ましい。
【００１４】
この方法によれば、移動体端末装置のクレジットカード処理ができる店舗端末で非接触カード機能用コンテンツを取得することが可能となり、クレジットカード処理にさらなる付加価値を付けることが可能となる。その結果、非接触カード機能用コンテンツの提供元のさらなる宣伝効果を発揮させることができる。
【００１５】
上記非接触カード機能用コンテンツ配信方法においては、配信バリエーションに対応するパラメータを設定する工程を有し、前記店舗端末は、前記パラメータにしたがって前記クレジットカード処理時に前記コンテンツデータを配信することが好ましい。この方法によれば、クレジットカード処理が行われた際の状況に応じた非接触カード機能用コンテンツを移動体端末装置に配信することができるので、ターゲットを絞った非接触カード機能用コンテンツの配信を行うことが可能となる。
【発明の効果】
【００１６】
本発明によれば、クレジット管理センターにおいて、非接触カード機能用コンテンツのコンテンツデータの配信先である店舗端末を設定し、移動体端末と店舗端末との間でのクレジットカード処理時に前記コンテンツデータを前記移動体端末に配信するので、移動体端末装置のクレジットカード処理ができる店舗端末で非接触カード機能用コンテンツを取得することが可能となり、クレジットカード処理にさらなる付加価値を付けることが可能となる。その結果、非接触カード機能用コンテンツの提供元のさらなる宣伝効果を発揮させることができる。
【図面の簡単な説明】
【００１７】
【図１】本発明の実施の形態に係る非接触カード機能用コンテンツ配信システムの概略構成を示す図である。
【図２】図１に示す非接触カード機能用コンテンツ配信システムにおける店舗端末の概略構成を示すブロック図である。
【図３】図１に示す非接触カード機能用コンテンツ配信システムにおけるクレジットセンターの概略構成を示すブロック図である。
【図４】図１に示す非接触カード機能用コンテンツ配信システムにおける移動体端末の概略構成を示すブロック図である。
【図５】本発明の実施の形態に係る非接触カード機能用コンテンツ配信方法を説明するためのシーケンス図である。
【図６】本発明の実施の形態に係る非接触カード機能用コンテンツ配信方法における配信データを説明するための図である。
【図７】（ａ），（ｂ）は、トルカコンテンツの実体化を説明するための図である。
【発明を実施するための形態】
【００１８】
以下、本発明の実施の形態について、添付図面を参照して詳細に説明する。
図１は、本発明の実施の形態に係る非接触カード機能用コンテンツ配信システムの概略構成を示す図である。なお、本実施の形態においては、コンテンツデータは、簡易データと、この簡易データに関連付けられた本体データとを含む。
【００１９】
図１に示すシステムは、クレジットカード処理を行う店舗端末１１を有する加盟店１と、決済部２１、アプリ管理部２２及びトルカ配信部を有するクレジットセンター２と、加盟店１、クレジットセンター２及びカード会社４との間の中継を行う情報処理センター３とから主に構成されている。加盟店１、クレジットセンター２及び情報処理センター３は、インターネット５のようなネットワークにより接続されており、これらはインターネット５及び移動通信網６を介して移動体端末７に接続されている。また、クレジットセンター２には、カード会社４、加盟店契約会社（アクワイアラ）８及び広告主９がトルカを配信する。また、加盟店１の店舗端末１１のリーダ／ライタ（Ｒ／Ｗ）１２は、移動体端末７の非接触ＩＣと非接触通信を行うことができるようになっている。
【００２０】
このような構成の非接触カード機能用コンテンツ配信システムにおいては、クレジット管理センターにおいて、非接触カード機能用コンテンツのコンテンツデータの配信先である店舗端末を設定し、移動体端末と店舗端末との間でのクレジットカード処理時に前記コンテンツデータを前記移動体端末に配信する。
【００２１】
情報処理センター３は、加盟店１とカード会社４との間でクレジットに関する情報の中継を行う。例えば、情報処理センター３は、加盟店１の店舗端末１１で処理されたクレジットカードの与信照会データをカード会社４に送信し、カード会社４からの与信結果を加盟店１の店舗端末１１に送信する。
【００２２】
移動体端末７は、非接触カード機能を実行できる機能を備えており、加盟店１のリーダライタ（Ｒ／Ｗ）１２との間で非接触カード通信により情報の送受信を行うことができる。また、移動体端末７は、オペレーティングシステム（移動機ＯＳ）を有しており、移動機ＯＳ上でブラウザ機能、ビューワ機能、ＪＡＭ（Java（登録商標） Application Manager）その他の機能が動作する。
【００２３】
移動通信網６は、移動体端末７とインターネット５を介してクレジットセンター２とを接続するネットワークである。この移動通信網６には、通常の移動通信網に加えて移動パケット通信網も含まれる。移動通信網６とインターネット５との間には、移動通信センターが存在する。この移動通信センターは、例えばｉモード（登録商標）サーバなどを有すると共に、移動通信網６とインターネット５とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット５をはじめその他のネットワーク、例えばＬＡＮやＷＡＮなども含まれる。
【００２４】
図２は、図１に示す非接触カード機能用コンテンツ配信システムにおける加盟店１の概略構成を示すブロック図である。加盟店１は、移動体端末７との間で非接触通信を行うことによりクレジットカード処理を行うと共にトルカ配信を行う店舗端末１１を有しており、移動体端末７との間の非接触通信はＲ／Ｗ１２との間で行われる。また、店舗端末１１は、インターネット５を介して情報処理センター３と通信を行う。
【００２５】
加盟店１の店舗端末１１は、移動体端末７との間でクレジットカード処理を行う場合、Ｒ／Ｗ１２と移動体端末７の非接触ＩＣ７７３との間の非接触通信により、クレジットカード処理を行う。すなわち、移動体端末７から非接触通信により移動体端末７のユーザのクレジットカード情報が店舗端末１１に送られ、その情報が与信情報として情報処理センター３を介してカード会社４に送られる。カード会社４からはクレジットカード情報の与信結果が情報処理センター３を介して店舗端末１１に送られる。このようなクレジットカード情報の照会が行われた後に決済処理が行われる。この決済処理の情報は、逐次あるいは定期的にクレジットセンター２に送られる。
【００２６】
店舗端末１１は、クレジットセンター２から配信されたトルカデータを格納部（図示せず）に格納しておき、移動体端末７との間でクレジットカード処理が行われた際に、予め設定されたトルカデータを非接触通信により移動体端末７に送る。この予め設定されたトルカデータには、クレジットセンターから配信される際にパラメータが設定されており、このパラメータは、例えば、クレジットカード処理が行われた時間、ユーザ属性、加盟店属性と関連づけられている。したがって、これらの時刻や属性に応じて、そのパラメータに関連するトルカデータが移動体端末７に送られる。
【００２７】
店舗端末１１は、トルカデータに対応するパラメータを認識するパラメータ認識部１１１を有する。パラメータ認識部１１１は、例えば、クレジットカード処理が行われた時刻、ユーザの属性、加盟店の属性を識別し、その時刻や属性に対応するトルカデータを格納部（図示せず）から抽出する。そして、店舗端末１１は、抽出されたトルカデータを非接触通信により移動体端末７に送る。
【００２８】
図３は、図１に示す非接触カード機能用コンテンツ配信システムにおけるクレジットセンター２の概略構成を示すブロック図である。クレジットセンター２は、決済情報を格納する決済サーバ２１１を有する決済部２１と、クレジットカード処理用のアプリケーションを格納するアプリサーバ２２１を有するアプリ管理部２２と、特定の店舗端末１１に対してトルカ配信を行うトルカ配信部２３とから主に構成されている。トルカ配信部２３は、どの加盟店のどの店舗端末にトルカ配信するかを設定する配信設定部２３１と、トルカ配信する際にトルカデータに関連づけたパラメータを設定するパラメータ設定部２３２と、トルカデータを格納するトルカサーバ２３３とを有する。
【００２９】
決済部２１は、加盟店１の店舗端末１１でクレジットカード処理された決済処理の情報（決済情報）を決済サーバ２１１に格納し、必要に応じて情報処理センター３経由でカード会社４に送る。この決済情報は、加盟店１におけるクレジットカード処理毎に、あるいは特定期間店舗端末１１に格納された後にまとめてクレジットセンター２の決済部２１に送られる。
【００３０】
アプリ管理部２２は、クレジット処理に関連するアプリケーションをアプリサーバ２２１で管理しており、移動体端末７がクレジットサービスに登録する際に、移動体端末７にクレジット用アプリケーションをダウンロードする制御を行う。
【００３１】
トルカ配信部２３の配信設定部２３１は、加盟店１の店舗端末１１の識別情報を管理しており、その識別情報を用いてトルカ配信する店舗端末１１を設定する。なお、配信設定部２３１において、トルカ配信する店舗端末１１を選択する基準については特に制限はない。そして、トルカ配信部２３は、配信設定部２３１で設定された加盟店１の店舗端末１１に対して、トルカサーバ２３３に格納されたトルカデータ（トルカスニップデータ及びトルカ本体データ）を配信する。そして、配信されたトルカデータは、店舗端末１１に格納されて、移動体端末７との間の非接触通信により移動体端末７に送られる。トルカサーバ２３３には、カード会社４、加盟店契約会社８、広告主９などからトルカデータが提供される。なお、トルカデータの提供元としては、これに限定されず、コンテンツプロバイダなどであっても良い。
【００３２】
トルカデータが予め設定された店舗端末１１に配信される際には、トルカ配信するときの配信パラメータ（配信バリエーション）とトルカデータとが組み合わされて配信される。例えば、クレジットセンター２のトルカ配信部２３から加盟店１の店舗端末１１に配信する配信データは、トルカ（スニップ）データと、配信バリエーションを示すパラメータとを含む。ここで、配信バリエーションとしては、クレジットカード処理された時刻、ユーザ属性、加盟店属性などのパラメータや、複数種類排出（配信）するか単一排出（配信）するかの別や、ルールに沿った排出かランダムの排出かの別などのパラメータなどが含まれる。なお、これらの配信バリエーションは一例であり、本発明においては、トルカデータの内容と関連づけられるすべてのバリエーションを含む。
【００３３】
クレジットセンター２は、情報処理センター３を介して加盟店１の店舗端末１１から決済情報を受け取ると共に、トルカデータを店舗端末１１に配信する。また、クレジットセンター２は、移動体端末７のユーザがクレジットサービスに登録する際に、アプリケーションを配信する。
【００３４】
図４は、図１に示す非接触カード機能用コンテンツ配信システムにおける移動体端末の概略構成を示すブロック図である。なお、図４に示す構成は、本発明を説明するために簡略化したものであり、通常の移動体端末に搭載される構成要素は備えているものとする。なお、ここでは、非接触カード機能用コンテンツがトルカ（登録商標）コンテンツ（トルカ簡易（スニップ）データ及びトルカ本体データを含む）である場合について説明する。
【００３５】
移動体端末７は、装置全体を制御する制御部７１と、無線通信の制御を行う通信制御部７２と、種々の情報やデータを入力する入力部７３と、種々の情報やデータを表示する表示部７４と、非接触カード機能用コンテンツデータであるトルカデータ（簡易データ、本体データ）を格納する格納部７５と、種々のアプリケーションを起動するアプリ制御部７６と、外部Ｒ／Ｗとの間で非接触通信を行う非接触カード部７７とから主に構成されている。非接触カード部７７は、簡易データであるトルカスニップデータやその他の情報をバッファリングするメモリ７７１と、非接触通信用のアンテナ７７２と、非接触カード機能を実現させるためのコントローラを含む非接触ＩＣ７７３とを含む。
【００３６】
通信制御部７２は、他の移動体端末や別の通信機器との間の無線通信の制御などを行う。また、通信制御部７２は、ブラウザ機能やメーラ機能を備えている。したがって、通信制御部７２は、トルカスニップデータに含まれる、トルカ本体データを取得するためにアクセスするＵＲＬに接続してトルカ本体データをダウンロードする。また、通信制御部７２は、ブラウザ機能により、Ｗｅｂ上からトルカ本体データをダウンロードすることができる。また、通信制御部７２は、トルカ本体データに含まれるＵＲＬからＷｅｂにリンクする機能、トルカ本体データに含まれる電話番号から発信する機能、トルカ本体データに含まれるメールアドレスからメール送信する機能を備えている。さらに、Ｊａｖａ（登録商標）アプリケーションやブラウザは、通信に必要なコマンド、例えばＡＰＩ（Application Program Interface）を用いて通信制御部７２を介して通信を行い、アプリケーション内部にコンテンツデータそのものが包含されている場合は、そのコンテンツデータを読み取って他のアプリケーションに引き継いだり、ＵＲＬが記載されている場合はそのＵＲＬに基づいて所定のサイトにアクセスしてトルカデータを取得することも可能である。なお、通信制御部７２は、光通信、赤外線通信、Bluetooth通信などにも対応できる構成を備えていても良い。
【００３７】
表示部７４は、ビューワ機能を備えており、取得したトルカデータを表示する。また、表示部７４は、トルカデータを所定の表示形式にフォーマットして表示させる。格納部７５は、トルカスニップデータやトルカ本体データを格納する。格納部７５は、例えばフォルダ管理によりトルカスニップデータやトルカ本体データを抽出し易い形で格納している。アプリ制御部７６は、通信制御部７２を介して受信したコマンド信号に基づいてアプリケーションを起動する。
【００３８】
非接触カード部７７は、非接触カード機能により、例えばトルカスニップデータの追加などを行う。非接触カード機能としては、例えばフェリカ（FeliCa：登録商標）などを挙げることができる。非接触カード部７７のアンテナ７７２は、移動体端末７を加盟店１のＲ／Ｗ１２にかざしたときに、Ｒ／Ｗ１２からトルカデータ、コマンド情報を取得して所定の処理部に受け渡す。制御部７１は、ヘッダ識別機能を有しており、Ｒ／Ｗ１２から取得したデータに付与されたヘッダを識別して所定の処理部に送る。例えば、Ｒ／Ｗ１２から取得したデータがトルカスニップデータであれば、格納部７５に送り、Ｒ／Ｗ１２から取得したデータがアプリケーション起動情報であれば、ＪＡＭ（Java（登録商標） Application Manager、図示せず）に送る。また、制御部７１は、移動体端末７に搭載されたクレジットカード情報をＲ／Ｗ１２に受け渡してクレジットカード処理を行う。
【００３９】
このような構成を有する移動体端末７は、加盟店１のＲ／Ｗ１２からトルカスニップデータを取得する場合、Ｒ／Ｗ１２の搬送波を検出した後に、非接触ＩＣ７７３がＲ／Ｗ１２との間で通信を開始して、Ｒ／Ｗ１２からトルカスニップデータを取得する。また、トルカスニップデータに含まれるＵＲＬに接続することにより、トルカスニップデータに対応するトルカ本体データをダウンロードすることもできる。また、移動体端末７が加盟店１でクレジットカード決済を行う場合には、Ｒ／Ｗ１２の搬送波を検出した後に、非接触ＩＣ７７３がＲ／Ｗ１２との間で通信を開始して、Ｒ／Ｗ１２との間でクレジットカード処理を行う。
【００４０】
なお、非接触カードを用いた非接触通信とは、赤外線通信や二次元バーコードを利用したデータの送受信などの近距離通信を含む通信方法を意味する。また、非接触カードとは、外部機器との間でデータ送受信を簡易に行うことのできる移動体端末に付随するモジュールである。
【００４１】
加盟店１とクレジットセンター２との間は、情報処理センター３を介して決済情報の送受信を行うパスを有する。本発明者らは、このパスを利用して、トルカ配信を行うことにより、クレジットカード処理の際にトルカデータを移動体端末７に提供することができることを見出し本発明をするに至った。したがって、本発明においては、クレジットセンター２の配信設定部２３１において、トルカデータの配信先である店舗端末１１を設定し、移動体端末７と店舗端末１１との間でのクレジットカード処理時にトルカデータを移動体端末７に配信する。
【００４２】
次に、本発明の実施の形態に係る非接触カード機能用コンテンツを配信方法について図５を用いて説明する。
【００４３】
まず、加盟店契約会社８がクレジットセンター２のトルカ配信部２３に対して所定のトルカデータを配信する（ＳＴ１１）。この場合、加盟店契約会社８がクレジットセンター２にトルカデータを配信する方法については、インターネットを介して行っても良く、インターネットを介さずに行っても良い。次いで、クレジットセンター２のトルカ配信部２３の配信設定部２３１においては、トルカデータの配信先である店舗端末１１を設定する（ＳＴ１２）。なお、このとき、配信先を設定する際の基準については特に制限はない。また、ここでは、加盟店契約会社８がトルカ配信部２３にトルカデータを配信する場合について説明しているが、カード会社４や広告主９がトルカ配信部２３にトルカデータを配信しても良い。
【００４４】
また、トルカデータの配信は、加盟店１からの依頼に基づくものであっても良い。このようにクレジットセンター２でトルカデータを取り纏めて配信することにより、各店舗端末１においてトルカデータの更新を個々に行わなくても、スケジュール通りの配信が容易に行うことができる。特に、チェーン店や商店街などの場合、この方式により、同様のトルカデータを配信する際に更新作業を効率化することができる。
【００４５】
また、クレジットセンター２で配信するトルカデータをそのまま用いずに、店舗端末１でさらに変更を加えて用いるようにしても良い。例えば、商店街のセール期間に配布するトルカとして１０％割引クーポンのトルカデータがクレジットセンター２から店舗端末１に送信された場合、ある店舗端末では１５％割引クーポンにして配布するようトルカデータを変更してから用いるようにしても良い。この場合、店舗端末で変更可能な割引率の範囲は１０％〜１９％とするなどして、店舗端末での変更に制限を加えることとしても良い。
【００４６】
次いで、トルカ配信部２３は、配信設定部２３１で設定された店舗端末１１にトルカデータを配信する。この場合、パラメータ設定部２３２において、トルカデータに対応する配信バリエーション（パラメータ）を設定し、図６に示すようにトルカデータ（トルカスニップデータ）と配信バリエーションとを組み合わせて配信データとして店舗端末１１に配信する。また、配信データは、まず、クレジットセンター２のトルカ配信部２３から情報処理センター３に配信され（ＳＴ１３）、その後、情報処理センター３から加盟店１の店舗端末１１に書き込まれる（ＳＴ１４）。このようにして、配信データは、店舗端末１１の格納部に格納される。
【００４７】
移動体端末７が加盟店１の店舗端末１１との間でクレジットカード処理（決済）を行うと、すなわち、店舗端末１１のＲ／Ｗ１２と移動体端末７の非接触ＩＣ７７３との間で非接触通信を行うと、店舗端末１１は、決済を行った際の状況に応じたトルカデータを移動体端末７に配信する。このようにして移動体端末７がトルカデータを取得する（ＳＴ１５）。具体的には、店舗端末１１のＲ／Ｗ１２は、所定の搬送波の情報信号を常時報知している。このＲ／Ｗ１２に移動体端末７を近づけると、移動体端末７の非接触ＩＣ７７３が情報信号を検出する。情報信号は電磁波であるので、この電磁波により非接触ＩＣ７７３が起動する。そして、Ｒ／Ｗ１２は、非接触ＩＣ７７３との間でクレジットカード処理を行うと共に、トルカデータ（トルカスニップデータ）を非接触ＩＣ７７３に送信する。移動体端末７側では、トルカデータを取得して格納部７５に格納する。トルカデータを取得した移動体端末７においては、表示部７４でトルカスニップデータを表示する（ＳＴ１６）。
【００４８】
店舗端末１１が移動体端末７にトルカ配信を行う際には、店舗端末１１のパラメータ認識部１１１が、クレジットカード処理が行われた際の状況に応じた配信データにおける配信バリエーションを抽出し、その配信バリエーションに関連づけられたトルカデータを移動体端末７に配信する。例えば、午前中という配信バリエーションとパン割引クーポンというトルカデータとが関連づけられている場合に、午前中に買い物をした場合、クレジットカード処理の際にパン割引クーポンのトルカデータが移動体端末７に配信される。ユーザがパン割引クーポンを取得する場合には、表示部７４に表示された図７（ａ）に示すようなトルカスニップデータの詳細情報をクリックして図７（ｂ）に示すようなトルカ本体データを取得して表示部７４に表示させる（ＳＴ１７，ＳＴ１８）。
【００４９】
このように、本発明に係る非接触カード機能用コンテンツ配信システムにおいては、クレジットセンター２において、トルカデータの配信先である店舗端末１１を設定し、移動体端末７と店舗端末１１との間でのクレジットカード処理時にトルカデータを移動体端末７に配信する。このため、移動体端末７のクレジットカード処理ができる店舗端末１１でトルカデータを取得することが可能となる。また、この場合において、クレジットカード処理が行われた際の状況に応じたトルカデータを移動体端末７に配信することができるので、ターゲットを絞ったトルカ配信を行うことが可能となる。
【００５０】
本発明は上記実施の形態に限定されず、種々変更して実施することが可能である。例えば、上記実施の形態においては、非接触カードを利用したデータの送受信について説明しているが、本発明においては、二次元バーコード、赤外線通信、Bluetooth通信を利用したデータの送受信を利用しても良い。例えば、二次元バーコードを用いる場合、店舗端末のＲ／Ｗはトルカデータを二次元バーコードに変換して表示し、移動体端末がカメラ撮影を行うことで二次元バーコードを移動体端末へ保存する。これにより、移動体端末へのトルカデータの配信が行われることになる。このとき、二次元バーコードをデコードした状態で移動体端末へ保存しても良い。
【００５１】
上記実施の形態で説明した構成に限定されず、本発明の範囲を逸脱しない限りにおいて配信バリエーション、画面表示のレイアウトなどについて適宜変更して実施することが可能である。上記実施の形態においては、非接触カード機能用コンテンツがトルカコンテンツである場合について説明しているが、本発明は非接触カード機能用コンテンツがトルカコンテンツ以外の非接触カード機能用コンテンツである場合にも同様に適用することができる。その他、本発明の範囲を逸脱しないで適宜変更して実施することが可能である。
【符号の説明】
【００５２】
１  加盟店
２  クレジットセンター
３  情報処理センター
４  カード会社
５  インターネット
６  移動通信網
７  移動体端末
８  加盟店契約会社
９  広告主
１１  店舗端末
１２  Ｒ／Ｗ
２１  決済部
２２  アプリ制御部
２３  トルカ配信部
７１  制御部
７２  通信制御部
７３  入力部
７４  表示部
７５  格納部
７６  アプリ制御部
７７  非接触カード部
１１１  パラメータ認識部
２３１  配信設定部
２３２  パラメータ設定部
２３３  トルカサーバ
７７３  非接触ＩＣ
【図１】
2010205271.tif 000003
【図２】
2010205271.tif 000004
【図３】
2010205271.tif 000005
【図４】
2010205271.tif 000006
【図５】
2010205271.tif 000007
【図６】
2010205271.tif 000008
【図７】
2010205271.tif 000009